(57)【要約】      （修正有）【課題】頭部のマッサージをしながら、必要に応じて所定の握力以上で把持することにより、握力に応じた量の化粧液を選択的に供給可能なマッサージ機能付き化粧容器を提供する。【解決手段】内部にレフィルを収容し、上から手で握るように把持できるよう平面視で一方向にやや扁平なクラゲ形状のケース２０と、複数の突起部４２を収容して保護するとともに化粧液の漏れ出しを防止するインナーキャップ７０と、ヘッド部４０及びインナーキャップ７０を収容して保護するとともにレフィル、ヘッド部４０及びケース２０を直立するように保持するキャップ８０とを有し、複数の突起部４２のそれぞれには軸心にレフィルからの化粧液の供給経路となる貫通孔を備え、ケース２０を一定以上の握力で握ることにより握力に応じてレフィルが変形し、複数の突起部４２の先端からレフィルの変形に応じた量の化粧液が供給されることを特徴とする。【選択図】図１
2019146751.tif 000002
【特許請求の範囲】
【請求項１】
化粧液を内部に保持する容器であるレフィルと、
前記レフィルに取り付けられ、頭皮をマッサージするように先端部が頭皮形状に沿うよう曲面上で一列または複数列に配置された複数の突起部を含むヘッド部と、
内部に前記レフィルを着脱可能に収容し、上から手で握るように把持できるよう平面視で一方向にやや扁平なクラゲ形状のケースと、
前記複数の突起部を収容して保護するとともに化粧液の漏れ出しを防止するインナーキャップと、
前記ヘッド部及び前記インナーキャップを収容して保護するとともに前記レフィル、前記ヘッド部及び前記ケースを直立するように保持するキャップとを有し、
前記複数の突起部のそれぞれには軸心に前記レフィルからの化粧液の供給経路となる貫通孔を備え、
前記ケースを一定以上の握力で握ることにより握力に応じて前記レフィルが変形し、前記複数の突起部の先端から前記レフィルの変形に応じた量の化粧液が供給されることを特徴とするマッサージ機能付き化粧容器。
【請求項２】
前記ケース及び前記レフィルはいずれも可撓性材料で構成され、
前記ケースと前記レフィルとの間には間隙が存在し、前記ケースを軽く握った状態では前記ケースのみが変形して手になじみ、前記ケースが変形して前記レフィルに接触する力以上の力を前記ケースに印加することで前記レフィルが変形して化粧液が供給されることを特徴とする請求項１に記載のマッサージ機能付き化粧容器。
【請求項３】
前記レフィルと前記ヘッド部とは一体となって化粧液供給構造をなし、前記マッサージ機能付き化粧容器の化粧液の詰め替えの際、前記化粧液供給構造に前記インナーキャップを装着した形態で詰め替え容器として提供されることを特徴とする請求項１または２に記載のマッサージ機能付き化粧容器。
【請求項４】
マッサージ用の専用アダプターをさらに有し、
前記マッサージ用の専用アダプターは、前記ヘッド部に着脱可能で、前記ヘッド部の複数の突起部よりも柔軟な材料で構成され、前記複数の突起部を個別にカバーするように前記複数の突起部の数に合わせた突起状の複数の収容部を備え、
前記マッサージ用の専用アダプターの複数の収容部先端は丸みを帯び、先端中央部には前記突起部の貫通孔に連通する貫通孔を備えることを特徴とする請求項１乃至３のいずれか１項に記載のマッサージ機能付き化粧容器。
【発明の詳細な説明】
【技術分野】
【０００１】
本発明は、マッサージ機能付き化粧容器に関し、特に頭部のマッサージをしながら、必要に応じて所定の握力以上で把持することにより、握力に応じた量の化粧液を選択的に供給可能なマッサージ機能付き化粧容器に関する。
【背景技術】
【０００２】
抜け毛や薄毛などの毛髪に関する悩みを始め、ふけ、かゆみなど頭皮に関連する問題に悩む人たちが少なくない。抜け毛対策や頭皮のコンディションの改善策として、頭皮の血行を良くするために様々なマッサージ手法やマッサージ器が開発されている。マッサージ器の多くはベースとなる本体に頭皮をマッサージするための突起部を複数設けたものであり、使用者は本体を把持して突起部が頭部を刺激するように頭部に押し付けたり、押し付けた状態で頭皮に沿って動かしたりすることでマッサージを行う。
【０００３】
また頭皮に栄養を供給したり適度な刺激を与えたりして毛髪の成長を促す目的の養毛剤や頭皮のコンディションを整える化粧液なども多数開発されている。これらの化粧液は適量を頭皮に振りかけるか、塗り込んで使用するのが一般的であるが、養毛剤などの化粧液の供給とマッサージを同時に行うのが効果的とされている。
化粧液を頭皮全体に塗り込んだ手でマッサージ器を持つのは、滑りやすくまた感触がよくないことから一旦手を洗うなどの手間が必要であり、両者の組み合わせは使い勝手に課題があった。
この問題に対処するため、整髪料や養毛剤を供給しながらマッサージが行えるマッサージ器若しくはマッサージ機能付き液体容器も開発されている。
【０００４】
特許文献１には、整髪料及び養毛髪料等の液体を収容する容器本体の一部に多数の突起からなる突起群を形成し、突起群の近傍又は突起に対し容器内に連通する抽出用小孔を穿設して、突起群により塗布部を刺激しながら液体を塗布することができる液体容器が開示されている。
【０００５】
また、特許文献２には、頭部の筋膜を押圧してマッサージする先端を丸く形成した複数の円柱状のマッサージ突起部と、マッサージ突起部を設置する設置部の内部に液体を注入する収容部とを備え、マッサージ突起部は、収容部に注入された液体を送出するために、少なくとも一つ若しくは複数のマッサージ突起部に収容部まで貫通している貫通孔が穿孔され、貫通孔から液を供給しながらマッサージが行えるマッサージ器具が開示されている。
【０００６】
これらの特許文献に開示された発明によればマッサージをしながらマッサージに必要な液体が供給されるため、手を汚すことなく効果的な頭皮マッサージが行える。
しかしながら特許文献１の液体容器では液の供給は、抽出用小孔の外面に接触する頭髪の毛細管現象により行われ、また特許文献２のマッサージ器具では貫通孔が穿孔された突起部と貫通孔が穿孔されていない突起部との数の組み合わせを変えることで液の供給量が調整されるとあり、いずれも液の供給量の調整は容易ではないという課題を含んでいる。
そこで、必要なところに必要な量の化粧液を供給し、必要の無い場合は化粧液の供給を行わないでマッサージすることが容易に選択的に行える頭部マッサージ器若しくはマッサージ機能付き液体容器の提供が望まれる。
【先行技術文献】
【特許文献】
【０００７】
【特許文献１】実開昭５８−２０６０３号公報
【特許文献２】特開２００４−３２９４４０号公報
【発明の概要】
【発明が解決しようとする課題】
【０００８】
本発明は、上記従来のマッサージ機能付き化粧容器における問題点に鑑みてなされたものであって、本発明の目的は、頭部のマッサージをしながら、必要に応じて所定の握力以上で把持することにより、握力に応じた量の化粧液を選択的に供給可能なマッサージ機能付き化粧容器を提供するところにある。
【課題を解決するための手段】
【０００９】
上記目的を達成するためになされた本発明によるマッサージ機能付き化粧容器は、化粧液を内部に保持する容器であるレフィルと、前記レフィルに取り付けられ、頭皮をマッサージするように先端部が頭皮形状に沿うよう曲面上で一列または複数列に配置された複数の突起部を含むヘッド部と、内部に前記レフィルを着脱可能に収容し、上から手で握るように把持できるよう平面視で一方向にやや扁平なクラゲ形状のケースと、前記複数の突起部を収容して保護するとともに化粧液の漏れ出しを防止するインナーキャップと、前記ヘッド部及び前記インナーキャップを収容して保護するとともに前記レフィル、前記ヘッド部及び前記ケースを直立するように保持するキャップとを有し、前記複数の突起部のそれぞれには軸心に前記レフィルからの化粧液の供給経路となる貫通孔を備え、前記ケースを一定以上の握力で握ることにより握力に応じて前記レフィルが変形し、前記複数の突起部の先端から前記レフィルの変形に応じた量の化粧液が供給されることを特徴とする。
【００１０】
前記ケース及び前記レフィルはいずれも可撓性材料で構成され、前記ケースと前記レフィルとの間には間隙が存在し、前記ケースを軽く握った状態では前記ケースのみが変形して手になじみ、前記ケースが変形して前記レフィルに接触する力以上の力を前記ケースに印加することで前記レフィルが変形して化粧液が供給されることが好ましい。
前記レフィルと前記ヘッド部とは一体となって化粧液供給構造をなし、前記マッサージ機能付き化粧容器の化粧液の詰め替えの際、前記化粧液供給構造に前記インナーキャップを装着した形態で詰め替え容器として提供されることが好ましい。
マッサージ用の専用アダプターをさらに有し、前記マッサージ用の専用アダプターは、前記ヘッド部に着脱可能で、前記ヘッド部の複数の突起部よりも柔軟な材料で構成され、前記複数の突起部を個別にカバーするように前記複数の突起部の数に合わせた突起状の複数の収容部を備え、前記マッサージ用の専用アダプターの複数の収容部先端は丸みを帯び、先端中央部には前記突起部の貫通孔に連通する貫通孔を備えることが好ましい。
【発明の効果】
【００１１】
本発明に係るマッサージ機能付き化粧容器によれば、養毛剤などの化粧液を内部に保持するレフィルにケースを介して握力による力を加えることでレフィルが変形して握力に応じた化粧液がマッサージを行う突起部先端から供給されるため、必要な頭皮に必要な量の化粧液を供給しながらマッサージを行うことができる。このときケースとレフィルとの間には間隙が存在するため、軽く握っただけではケースのみが変形し、レフィルまでは変形が起こらないため、化粧液の供給を行わないこともでき、化粧液のない状態でのマッサージも選択的に行うことができる。
【００１２】
本発明に係るマッサージ機能付き化粧容器によれば、インナーキャップにより化粧液の液漏れを防ぐことができることから、スタンドの役割も有するキャップにより、把持部が上になるように直立して保持されるので、手に取って持ち替えずに使用でき、使い勝手の良いマッサージ機能付き化粧容器の提供が可能である。
また本発明に係るマッサージ機能付き化粧容器によれば、化粧液を使用し終わった後の詰め替えは、レフィルとヘッド部とで構成される化粧液供給構造ごと入れ替える形で行われるため、化粧液の供給経路が目詰まりしたり、汚染したりするリスクを回避することができ、衛生的で詰め替えに伴う化粧液の液漏れも防止することができる。
さらに本発明に係るマッサージ機能付き化粧容器によれば、突起部に、突起部よりも柔軟なインナーキャップやマッサージ用の専用アダプターを取り付けてマッサージを行うこともできるため、使用者は頭皮の状態に応じて頭皮に当たる部分を選択して使い分けることができる。
【図面の簡単な説明】
【００１３】
【図１】本発明の実施形態によるマッサージ機能付き化粧容器の全体構造を概略的に示す図である。
【図２】本発明の実施形態によるマッサージ機能付き化粧容器のレフィルを含む化粧液供給構造を概略的に示す図である。
【図３】図１のＩ−Ｉ’線に沿う断面図である。
【図４】本発明の実施形態によるマッサージ機能付き化粧容器の化粧液の供給を説明するための図面である。
【発明を実施するための形態】
【００１４】
次に、本発明に係るマッサージ機能付き化粧容器を実施するための形態の具体例を、図面を参照しながら詳細に説明する。
図１は本発明の実施形態によるマッサージ機能付き化粧容器の全体構造を概略的に示す図であり、図１（ａ）は全体の外形を示す図面、図１（ｂ）は主要な構成要素を示す正面図で、図１（ｃ）は図１（ｂ）のそれぞれの構成要素の側面図である。
【００１５】
図１を参照すると、本発明の実施形態によるマッサージ機能付き化粧容器１は本体１０とキャップ８０とを含む。マッサージ機能付き化粧容器１の本体１０は把持部を兼ねたケース２０と、マッサージを行う突起部４２を備えたヘッド部４０と、ケース２０とヘッド部４０とを連結するベースリング５０とを含む。またマッサージ機能付き化粧容器１は、突起部４２に被せるインナーキャップ７０をさらに含む。
【００１６】
本発明によるマッサージ機能付き化粧容器１は、一列または複数列に配置したマッサージ用の突起部４２を備え、櫛を扱うように片手で容易に頭皮のマッサージを行うことができる上に、化粧液を保持する可撓性の容器を内部に収納し、容器の入り口からマッサージ用の突起部４２に設けた貫通孔に連通する供給経路が形成され、使用者が把持部を一定の力以上の力で握ると握った力に応じて可撓性の容器が変形し、中の化粧液が供給経路を経てマッサージ用の突起部先端から供給されるようになっており、化粧液が必要な場合は、使用者の握る力に応じた化粧液を供給しながらマッサージを行うことができるマッサージ機能付き化粧容器である。即ち使用者の把持する力に応じて化粧液の供給の有無の選択、及び化粧液を供給する場合の供給量の調整を行うことが可能なマッサージ機能付き化粧容器である。
【００１７】
本体１０のケース２０は図１に示すように、平面視で一方向にやや扁平なクラゲ形状をしており、上から手で握るように把持することができる。図３を参照して後述するように、化粧液を保持する容器であるレフィルを収納できるよう内部には空洞を備える。また使用者の把持する力で内部に収納するレフィルを変形させることができるように、ケース２０も可撓性の材料で形成する。可撓性材料としては熱可塑性の樹脂材料などのエラストマーが適用可能であるが、中でも手になじみやすく滑りにくい材料が好ましい。
またケース２０は最終的にベースリング５０と着脱可能に組み合わされて本体１０の外形をなすようになる。このためケース２０の内周下端部には、ベースリング５０の外周上部に設けられた係合用凹部と噛み合うよう係合用凸部が形成される。
【００１８】
ヘッド部４０はヘッド部ケース４１とマッサージ用の複数の突起部４２とを含む。ヘッド部４０は樹脂材料で構成され、マッサージ用の複数の突起部４２はヘッド部ケース４１から突出するように一体で成形される。ヘッド部４０は図３を参照して後述するように、ヘッド部ケース４１と組み合わされて化粧液の供給のための流路を構成するジョイントヘッドを内部に収容するため、突起部４２と対向する側に凹部を有する。
【００１９】
マッサージ用の複数の突起部４２は、頭皮をマッサージするように先端部が頭皮形状に沿うよう曲面上で一列又は複数列に配置される。即ち外側に配置された突起部４２ほど高さが高くなり、頭皮に当てた時に複数の突起部４２が一律に頭皮に接するように構成される。突起部４２は、ヘッド部ケース４１から突起部４２の先端に向かって徐々に細くなるが、先端部は頭皮への当たりを和らげるために丸く膨らみを持たせた形状を備える。また、突起部４２の軸心部分には化粧液を供給するための貫通孔が設けられる。
【００２０】
図１では突起部４２が一列上に配置された６つの構成のヘッド部４０を示すが、突起部４２の数はこれに限らず６つより多くても少なくてもよい。また突起部４２は一列に限らず複数列に配置されてもよく、複数列に配置する場合は格子状に配置してもよいが千鳥状に配置することが好ましい。突起部４２の数や配置の列数が変わっても、先端部が一律に頭皮に接するように、頭皮形状に沿うよう曲面上で配置されることに変わりはない。
【００２１】
ベースリング５０は、ケース２０とヘッド部４０とを連結する。ベースリング５０は、リング状の形状であり、内部にはヘッド部４０を挿入し、ヘッド部ケース４１の下端面と突起部４２が下面に露出するように支持し、上部から被せられるケース２０と係合するように外周上部に係合用凹部を備える。またベースリング５０の下端部にはキャップ８０と嵌合するようにキャップ８０の内周に対応した外形の段差部を設ける。実施形態ではキャップ８０が滑り落ちないようにベースリング５０の段差部外周とこれと対応するキャップ８０の内周上部に互いに組み合わさるような突起を設けてもよい。
【００２２】
インナーキャップ７０は複数の突起部４２を収容して保護するとともに化粧液の漏れ出しを防止する。インナーキャップ７０は、複数の突起部４２を保護する観点からは複数の突起部４２をまとめて収納する１つの収容空間を備えるように構成してもよいが、化粧液の漏れ出しを防止する観点からは複数の突起部４２を個別にカバーするように突起部４２の数に合わせた収容部を備えることが好ましい。材質は樹脂材料で具現化されるが、突起部４２との密着性を高め、漏れ出しを防止するようにゴムなどの柔軟な材質が好ましい。
【００２３】
突起部４２より柔軟な材料を使用し、図１に示すようにそれぞれの突起部４２に対応して突起状の外形を有するように形成することで、本体１０にインナーキャップ７０を装着した状態で頭皮のマッサージを行うことも可能となる。この場合突起部４２で直接マッサージする方法の他に、突起部４２より柔軟なインナーキャップ７０を介してのマッサージも行えるため、使用者は必要に応じ頭皮に当たる部分を使い分けることができる。
【００２４】
また、実施形態では図示しないが、インナーキャップ７０とは別に、インナーキャップ７０と同様、突起部４２より柔軟な材料を使用し、インナーキャップ７０と略同様の形状で、突起部４２を収納する収容部先端は丸みを帯び、先端部中央には突起部４２の貫通孔に連通し化粧液を供給するための貫通孔を有するマッサージ用の専用アダプターをさらに備えてもよい。頭皮の弱い使用者は、突起部４２にマッサージ用の専用アダプターを取り付けることで、突起部４２より柔軟な当たりでマッサージを行うことができ、また収容部先端に貫通孔を有することで突起部４２から供給された化粧液を、貫通孔を通して頭皮に供給できるので、化粧液を供給しながらのマッサージも可能となる。
実施形態では硬さや頭皮に直接触れる先端の丸み形状を変化させた数種類を用意し、付け替え可能としてもよい。
マッサージ用の専用アダプターを使用した場合も、使用後最終的にキャップ８０に収納する際は、インナーキャップ７０に付け替えて化粧液の漏れ出しを防止する。
【００２５】
キャップ８０は、ヘッド部４０及びインナーキャップ７０を収容して保護するとともに本体１０、即ちヘッド部４０を装着したケース２０を直立するように保持する。キャップ８０はスタンドの役割をも備え、図１に示すように把持部であるケース２０が上方を向くように保持するため、使用者はキャップ８０を押さえた状態で、持ち手で本体１０を取り上げて、そのまま持ち変えることなく使用することができる。
【００２６】
図２は、本発明の実施形態によるマッサージ機能付き化粧容器のレフィルを含む化粧液供給構造を概略的に示す図である。図２（ａ）は化粧液供給構造の正面図、図２（ｂ）は図２（ａ）の側面図である。
図２を参照すると化粧液供給構造はレフィル３０とヘッド部４０とで構成される。
【００２７】
化粧液を保持するレフィル３０は、ケース２０の内部の空洞に収まるように平面視で一方向にやや扁平な本体部形状を有する容器である。化粧液を出し入れする口部はレフィル本体部から略円筒形状で突出し、この口部がヘッド部４０と係合される。図１を参照して説明したように、キャップ８０を付けた保管状態では、ヘッド部４０が下を向くように保持されるため、図２に示すようにレフィル３０は口部が下を向き、倒立した形で保持される。このためヘッド部４０との境界から化粧液が漏れ出さないように、ヘッド部４０には２重の円筒状の壁を有するレフィル取り付け部４５が設けられ、レフィル３０の口部が２重の円筒状の壁の間に収まるようにして隙間なく取り付けられる。
実施形態では図２の化粧液供給構造にインナーキャップ７０を嵌め込んだ構成で詰め替え用として提供される。
【００２８】
通常こうした化粧液の詰め替えは、詰め替え用の化粧液が入った流通用の容器から本体内のレフィル３０のような化粧容器に化粧液を補充する形で移し替えて行われるが、実施形態では図２に示すレフィル３０とヘッド部４０とで構成される化粧液供給構造ごと入れ替える形で行う。これは長期間の使用により化粧液の供給経路が目詰まりしたり、汚染したりするリスクを回避するためである。
使用者は詰め替えを行う場合、ベースリング５０からケース２０を取り外し、更にレフィル３０とヘッド部４０とで構成される使用済みの化粧液供給構造を取り出した後、新たな化粧液供給構造をベースリング５０に収容し、上からケース２０を嵌合することで容易に詰め替えを行うことができる。
【００２９】
図３は、図１のＩ−Ｉ’線に沿う断面図である。
図３を参照すると、図２に示すレフィル３０とヘッド部４０とで構成される化粧液供給構造がベースリング５０に収められた状態でケース２０が被せられ、本体１０として一体化されている。
倒立するレフィル３０の底に当たる上端部はケース２０と接しケース２０に支持された状態であるが、レフィル３０の側方にはケース２０の側壁との間に間隙６０が存在する。
間隙６０の役割については図４を参照して後述する。
【００３０】
ケース２０は内周下端部に係合用凸部を備え、ベースリング５０の外周上部に設けられた係合用凹部と噛み合って、ヘッド部４０を支持するベースリング５０と連結される。ケース２０が可撓性を有することにより、ケース２０とベースリング５０とは着脱可能に係合される。
ベースリング５０は、外周上部にはケース２０との係合用凹部を備え、内周にはヘッド部４０のヘッド部ケース４１の外周上部にあるフランジ状凸部を支持する段差部を備え、さらに外周下部にはキャップ８０を嵌合するようにキャップ８０の内周に対応した外形の段差部を備える。このようにベースリング５０は各構成要素を連結又は嵌合するためのベースとなる。
【００３１】
ヘッド部４０は、ヘッド部ケース４１と、ヘッド部ケース４１から下方に突出するようにして一体に成形される複数の突起部４２とを含む。それぞれの突起部４２の軸心に当たる部分には突起部４２の先端からヘッド部ケース４１までを含めて貫通する貫通孔４３が備えられる。
【００３２】
ヘッド部４０は、更にヘッド部ケース４１の凹部に収容されるジョイントヘッド４４を含む。ジョイントヘッド４４はレフィル３０を取り付ける台座となるとともに、ヘッド部ケース４１と組み合わされて化粧液の供給のための流路を構成する。このためジョイントヘッド４４のレフィル３０側には２重の円筒状の壁を有するレフィル取り付け部４５が設けられる。
【００３３】
２重の円筒状の壁の内、内側の壁はレフィル３０の口部の内壁に沿って隙間なく挿入され、外側の壁は内周側にリング状の突起を備え、レフィル３０の口部外周に設けられたリング状の突起と噛み合わされてレフィル３０が抜けないように固定する。即ちレフィル３０の口部が２重の円筒状の壁の間に収まるようにしてレフィル３０内の化粧液が漏出しないように取り付けられる。
【００３４】
また、レフィル３０の口部に対応するジョイントヘッド４４の中心部には化粧液を供給する供給孔４７が設けられ、この供給孔４７と連結するように複数の突起部４２の貫通孔４３を全て連結する溝である流路４８を備える。供給孔４７と流路４８とを備えることにより、レフィル３０から供給孔４７と流路４８とを介して、それぞれの突起部４２の先端に至る化粧液の供給経路が形成される。
【００３５】
またジョイントヘッド４４はそれぞれの突起部４２の貫通孔４３に挿入される突起状芯部４６をさらに備える。突起状芯部４６は突起部４２の貫通孔４３の形状と略同じ外形を有し、化粧液の供給経路を突起部４２の貫通孔４３と突起状芯部４６の外周との間の隙間に限定するものである。突起状芯部４６で供給経路を限定することにより、化粧液が垂れ落ちるのを防止する。
【００３６】
図４は、本発明の実施形態によるマッサージ機能付き化粧容器の化粧液の供給を説明するための図面であり、図３と同様に図１のＩ−Ｉ’線に沿う断面図である。図４（ａ）は外力が加わっていない状態、図４（ｂ）は使用者により一定の力未満の握力で把持された状態、図４（ｃ）は使用者により一定の力以下の握力で把持された状態を示す。
【００３７】
図４（ａ）は図３に示す断面図と同じ断面形状を示すが、レフィル３０の内部に化粧液９０が保持された状態を示す。本体１０が倒立して保持された状態では化粧液９０はヘッド部４０に設けられた供給孔４７及び流路４８にも供給される。化粧液９０の供給経路は流路４８から各突起部４２の貫通孔４３にも通じているが、各突起部４２の内壁と突起状芯部４６との隙間が小さいため、化粧液９０は各突起部４２先端からは垂れ落ちてこない。
【００３８】
図４（ｂ）のように使用者によりケース２０が把持された場合、把持する力が一定の力より小さい場合、即ち軽く握った状態では、ケース２０のみが変形して手になじむ形状となる。このときケース２０は変形するものの、間隙６０があることによりレフィル３０までは変形しないため、ケース２０を軽く握っただけでは化粧液９０は供給されない。使用者は、このように化粧液９０を供給しない状態でも、突起部４２を使ってマッサージを行うことができる。
【００３９】
一方、化粧液９０を供給したり、化粧液９０を供給しながらマッサージを行ったりする場合、使用者はケース２０を一定以上の握力、即ちケース２０が変形してレフィル３０に接触する力以上の力を印加することにより、図４（ｃ）に示すようにケース２０を介してレフィル３０を変形させ、レフィル３０の変形に応じた量の化粧液９０を供給することができる。レフィル３０を変形させて化粧液９０に圧力を加えることで、各突起部４２の内壁と突起状芯部４６との間の小さい隙間でも化粧液９０が流れるため、各突起部４２の先端から頭皮に化粧液９０を供給することができる。
【００４０】
このように使用者はケース２０を把持した際、ケース２０が変形してレフィル３０に接する一定の力以上の力を印加するかどうかで、化粧液９０を供給するかどうかを選択でき、また化粧液９０を供給する場合は、ケース２０を把持する力の強さにより化粧液９０の供給量を調整することができる。
【００４１】
以上、本発明の実施形態について図面を参照しながら詳細に説明したが、本発明は、上述の実施形態に限定されるものではなく、本発明の技術的範囲から逸脱しない範囲内で多様に変更することが可能である。
【符号の説明】
【００４２】
１    マッサージ機能付き化粧容器
１０    本体
２０    ケース
３０    レフィル
４０    ヘッド部
４１    ヘッド部ケース
４２    突起部
４３    貫通孔
４４    ジョイントヘッド
４５    レフィル取り付け部
４６    突起状芯部
４７    供給孔
４８    流路
５０    ベースリング
６０    間隙
７０    インナーキャップ
８０    キャップ
９０    化粧液
【図１】
2019146751.tif 000003
【図２】
2019146751.tif 000004
【図３】
2019146751.tif 000005
【図４】
2019146751.tif 000006
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
化粧液を内部に保持する容器であるレフィルと、
前記レフィルに取り付けられ、頭皮をマッサージするように先端部が外側に配置された突起部ほど高くなるような曲面上で一列または複数列に配置された複数の突起部を含むヘッド部と、
内部に前記レフィルを着脱可能に収容し、上から手で握るように把持できるよう平面視で一方向にやや扁平なクラゲ形状のケースと、
前記複数の突起部を収容して保護するとともに化粧液の漏れ出しを防止するインナーキャップと、
前記ヘッド部及び前記インナーキャップを収容して保護するとともに前記レフィル、前記ヘッド部及び前記ケースを直立するように保持するキャップとを有し、
前記複数の突起部のそれぞれには軸心に前記レフィルからの化粧液の供給経路となる貫通孔を備え、
前記ケースを一定以上の握力で握ることにより握力に応じて前記レフィルが変形し、前記複数の突起部の先端から前記レフィルの変形に応じた量の化粧液が供給され、
前記レフィルと前記ヘッド部とは一体となって化粧液供給構造をなし、前記マッサージ機能付き化粧容器の化粧液の詰め替えの際、前記化粧液供給構造に前記インナーキャップを装着した形態で詰め替え容器として提供されることを特徴とするマッサージ機能付き化粧容器。
【請求項２】
前記ケース及び前記レフィルはいずれも可撓性材料で構成され、
前記ケースと前記レフィルとの間には間隙が存在し、前記ケースを軽く握った状態では前記ケースのみが変形して手になじみ、前記ケースが変形して前記レフィルに接触する力以上の力を前記ケースに印加することで前記レフィルが変形して化粧液が供給されることを特徴とする請求項１に記載のマッサージ機能付き化粧容器。
【請求項３】
マッサージ用の専用アダプターをさらに有し、
前記マッサージ用の専用アダプターは、前記ヘッド部に着脱可能で、前記ヘッド部の複数の突起部よりも柔軟な材料で構成され、前記複数の突起部を個別にカバーするように前記複数の突起部の数に合わせた突起状の複数の収容部を備え、
前記マッサージ用の専用アダプターの複数の収容部先端は丸みを帯び、先端中央部には前記突起部の貫通孔に連通する貫通孔を備えることを特徴とする請求項１または２に記載のマッサージ機能付き化粧容器。
【手続補正２】
【補正対象書類名】明細書
【補正対象項目名】０００９
【補正方法】変更
【補正の内容】
【０００９】
上記目的を達成するためになされた本発明によるマッサージ機能付き化粧容器は、化粧液を内部に保持する容器であるレフィルと、前記レフィルに取り付けられ、頭皮をマッサージするように先端部が外側に配置された突起部ほど高くなるような曲面上で一列または複数列に配置された複数の突起部を含むヘッド部と、内部に前記レフィルを着脱可能に収容し、上から手で握るように把持できるよう平面視で一方向にやや扁平なクラゲ形状のケースと、前記複数の突起部を収容して保護するとともに化粧液の漏れ出しを防止するインナーキャップと、前記ヘッド部及び前記インナーキャップを収容して保護するとともに前記レフィル、前記ヘッド部及び前記ケースを直立するように保持するキャップとを有し、前記複数の突起部のそれぞれには軸心に前記レフィルからの化粧液の供給経路となる貫通孔を備え、前記ケースを一定以上の握力で握ることにより握力に応じて前記レフィルが変形し、前記複数の突起部の先端から前記レフィルの変形に応じた量の化粧液が供給され、前記レフィルと前記ヘッド部とは一体となって化粧液供給構造をなし、前記マッサージ機能付き化粧容器の化粧液の詰め替えの際、前記化粧液供給構造に前記インナーキャップを装着した形態で詰め替え容器として提供されることを特徴とする。
【手続補正３】
【補正対象書類名】明細書
【補正対象項目名】００１０
【補正方法】変更
【補正の内容】
【００１０】
前記ケース及び前記レフィルはいずれも可撓性材料で構成され、前記ケースと前記レフィルとの間には間隙が存在し、前記ケースを軽く握った状態では前記ケースのみが変形して手になじみ、前記ケースが変形して前記レフィルに接触する力以上の力を前記ケースに印加することで前記レフィルが変形して化粧液が供給されることが好ましい。
マッサージ用の専用アダプターをさらに有し、前記マッサージ用の専用アダプターは、前記ヘッド部に着脱可能で、前記ヘッド部の複数の突起部よりも柔軟な材料で構成され、前記複数の突起部を個別にカバーするように前記複数の突起部の数に合わせた突起状の複数の収容部を備え、前記マッサージ用の専用アダプターの複数の収容部先端は丸みを帯び、先端中央部には前記突起部の貫通孔に連通する貫通孔を備えることが好ましい。